(57)【要約】【課題】  刃部への着脱を容易とすると共に、装着時の脱却も確実に防止可能とする。【解決手段】  チップレシーバ１は、固定部２の前後両端に、生垣バリカン２０の刃部２３の前端に係止可能な係止部５，５を有し、各係止部５に、生垣バリカン２０のプロテクタ３１に設けたツマミネジ３３が螺合可能なナット６を備えている。よって、チップレシーバ１の一方の係止部５を刃部２３の前端に係止させ、他方の係止部５をツマミネジ３３で螺着すれば、チップレシーバ１は刃部２３へ簡単に装着でき、容易に外れることもない。【選択図】  図７
2006014661.tif 000002
【特許請求の範囲】
【請求項１】
生垣バリカンの前方に突設される直線状の刃部に沿って着脱可能に固定される固定部と、その固定部に延設される広板状の捕捉部とからなるチップレシーバであって、
前記固定部の前後方向の一端に、前記刃部の先端へ前方から係止可能な係止部を設け、他端に、前記係止部の係止状態で前記生垣バリカンに螺着可能なネジ孔を設けたことを特徴とするチップレシーバ。
【請求項２】
固定部の前後両端に係止部とネジ孔とを夫々設けて前後方向に対称形状とした請求項１に記載のチップレシーバ。
【請求項３】
駆動機構を内蔵した本体の前方に直線状の刃部を突設した生垣バリカンであって、
前記本体側に、前記刃部の先端へ請求項１又は２に記載のチップレシーバの係止部を係止させた状態で前記チップレシーバの他端側のネジ孔と螺合可能なツマミネジを設けたことを特徴とする生垣バリカン。
【請求項４】
本体の前方にプロテクタを着脱可能に設けたものにあっては、前記プロテクタにツマミネジを設けた請求項３に記載の生垣バリカン。
【発明の詳細な説明】
【技術分野】
【０００１】
本発明は、生垣バリカンに突設された刃部に装着され、刈り取られた枝葉を捕集するためのチップレシーバと、そのチップレシーバを備えた生垣バリカンとに関する。
【背景技術】
【０００２】
生垣バリカンは、本体の前方に、例えば固定刃と、モータで駆動するクランク機構等の駆動機構により前後移動する可動刃とからなる直線状の刃部を突設し、その刃部によって生垣の上面や側面等の刈り込みが可能となっている。
このような生垣バリカンの刃部には、刈り取られた枝葉を捕集するチップレシーバが装着される場合がある。このチップレシーバは、刃部に沿って固定される固定部と、その固定部に延設される広板状の捕捉部とからなり、固定部をネジ等を利用して刃部に取り付けることで、刃部に装着可能としている。
【０００３】
ネジによる固定では、工具が必要となってチップレシーバの着脱作業が面倒となり、ツマミネジを用いると刃部での突出部分が大きくなって作業の邪魔になる。そこで、特許文献１に記載のように、刃部への固定部を弾性材料によって横断面略コ字状に形成し、この固定部を刃部に沿って長手方向にスライドさせて刃部に係合させることで、チップレシーバをネジを用いることなく簡単に着脱可能とする工夫がなされている。
【０００４】
【特許文献１】特許第３１２１５８０号公報
【発明の開示】
【発明が解決しようとする課題】
【０００５】
しかし、固定部の係合による構造では、チップレシーバが枝等に引っ掛かったりして長手方向等に大きな外力が加わると、チップレシーバが刃部から外れるおそれがあり、装着時の信頼性が高いとは言えない。
【０００６】
そこで、請求項１及び３に記載の発明は、刃部への着脱が容易で、しかも装着時の脱却を確実に防止して信頼性も高いチップレシーバ及び生垣バリカンを提供することを目的としたものである。
【課題を解決するための手段】
【０００７】
上記目的を達成するために、請求項１に記載の発明は、チップレシーバとして、固定部の前後方向の一端に、刃部の先端へ前方から係止可能な係止部を設け、他端に、係止部の係止状態で生垣バリカンに螺着可能なネジ孔を設けたことを特徴とするものである。
請求項２に記載の発明は、請求項１の目的に加えて、生垣バリカンが両刃タイプの場合の使い勝手を良くするために、固定部の前後両端に係止部とネジ孔とを夫々設けて前後方向に対称形状としたものである。
【０００８】
上記目的を達成するために、請求項３に記載の発明は、生垣バリカンとして、本体側に、刃部の先端へ請求項１又は２に記載のチップレシーバの係止部を係止させた状態でチップレシーバの他端側のネジ孔と螺合可能なツマミネジを設けたことを特徴とするものである。
請求項４に記載の発明は、請求項３の目的に加えて、既存の生垣バリカンにも本発明のチップレシーバを容易に取付可能とするために、本体の前方にプロテクタを着脱可能に設けたものにあっては、プロテクタにツマミネジを設けた構成としたものである。
【発明の効果】
【０００９】
請求項１及び３に記載の発明によれば、工具を用いなくてもチップレシーバを簡単に生垣バリカンに着脱でき、作業性に優れる。しかも、ツマミネジによってチップレシーバが確実に装着されるため、作業中にチップレシーバが外れるおそれがなく、装着時の信頼性も高くなる。また、ツマミネジはチップレシーバの後方のみで用いられるため、刃部側での突出部分とならず、作業の邪魔になることもない。
請求項２に記載の発明によれば、請求項１の効果に加えて、生垣バリカンが両刃タイプの場合、利き腕や作業内容に合わせてチップレシーバの装着側を選択でき、使い勝手に優れる。
請求項４に記載の発明によれば、請求項３の効果に加えて、プロテクタの交換のみで既存の生垣バリカンにも請求項１又は２のチップレシーバを容易に取付可能となる。
【発明を実施するための最良の形態】
【００１０】
以下、本発明の実施の形態を図面に基づいて説明する。
図１は、本発明のチップレシーバの一例を示す説明図で、上が平面、中央が側面、下が底面を夫々示す。このチップレシーバ１は、後述する生垣バリカン２０の刃部２３に装着される固定部２と、その固定部２に延設される幅広の捕捉部３とからなり、全体が合成樹脂で形成される。
まず、固定部２は、図２にも示すように、細幅な帯板４の両端に、下方側を折り返したコ字状の係止部５，５を形成しており、係止部５の上側には、ネジ孔を形成するナット６が一体に埋め込まれている。係止部５の下側には、生垣バリカン２０における刃部２３の固定ネジ３４（図４等）との干渉を回避するために、長手方向にスリット７を設けている。また、帯板４には、両端の係止部５，５を除いて複数の長孔８，８・・が断続的に穿設され、帯板４の一側縁には、刃部２３の固定ネジ３４の位置に対応した凸部９，９・・が形成されて、各凸部９の真下に、長孔８と連通する連通孔１０が形成されている。
【００１１】
次に、捕捉部３は、図３にも示すように、帯板４における凸部９側と反対の端縁に、帯板４と平行に形成される上板部１１と、その上板部１１からくの字状に上方へ折れ曲がる広板部１２と、上板部１１と広板部１２との連結際でその裏面に突設され、上板部１１と所定間隔をおいて重なる略同形状の下板部１３とからなり、上板部１１と広板部１２とは、固定部２から離れるに従って長手方向の寸法が徐々に長くなる平面形状となっている。１４，１４・・は、広板部１２の裏面で下板部１３に連続するように短手方向に立設された補強リブである。
ここでは、チップレシーバ１が長手方向の中央を挟んで前後で対称形状となるように捕捉部３が形成され、固定部２においても、帯板４の長孔８や凸部９も前後で対称に配置されている。
【００１２】
一方、図４は、本発明の生垣バリカンの一例を示す平面図で、生垣バリカン２０は、図示しないモータを下向きに内蔵したモータハウジング２１の下方に、モータの回転を直線運動に変換するクランク機構を内蔵した本体となる本体ハウジング２２を一体に連結し、本体ハウジング２２の前方（図４の右側）に、クランク機構で動作する直線状の刃部２３を突設してなる。この刃部２３は、図５にも示すように、上下一対の帯板状の固定板２４，２４と、その固定板２４，２４の間にあって左右の側縁に刃２７，２７・・を千鳥状に形成した帯板状の二枚の可動刃２５，２６とからなり、クランク機構によって可動刃２５，２６が互いに逆方向へ前後移動する。３４，３４・・は、可動刃２５，２６の長孔を貫通して固定板２４，２４同士を連結する固定ネジである。
【００１３】
また、モータハウジング２１の後面側と本体ハウジング２２の後端上面との間には、トリガースイッチ２９を設けた主ハンドル２８が前後方向に形成され、本体ハウジング２２の中央部には、本体ハウジング２２の両側面に下端を連結されてモータハウジング２１の上方を通る矩形枠状の補助ハンドル３０が装着されている。
さらに、本体ハウジング２２の前端には、前方斜め上方へ向けて板状のプロテクタ３１が装着されている。このプロテクタ３１の根元部分の下面中央に、チップレシーバ１の係止部５を差し込み可能な差し込み凹部３２が形成され、プロテクタ３１の当該部分には、差し込み凹部３２に下端が突出するツマミネジ３３が螺合されている。
【００１４】
以上の如く構成されたチップレシーバ１及び生垣バリカン２０において、チップレシーバ１を刃部２３に装着する場合、まず、上側の固定板２４の固定ネジ３４の位置に凸部９を合わせて（図５）、チップレシーバ１を刃部２３に沿わせ、そのままチップレシーバ１を刃部２３側へ移動させて、上板部１１と下板部１３とで刃部２３を挟むように刃部２３側へ押し込む（図６）。すると、各固定ネジ３４が連通孔１０を通過して帯板４の長孔８内に納まる。このとき、チップレシーバ１の前方の係止部５は刃部２３の前方にあり、後方の係止部５は刃部２３の上面に乗り上がってプロテクタ３１の差し込み凹部３２の前方に位置している。なお、帯板４は、係止部５，５との前後の連結部分が他の部分よりも薄肉となっているため、容易に変形して刃部２３上へ乗り上がる。
【００１５】
次に、チップレシーバ１を後退させて、後方の係止部５をプロテクタ３１の差し込み凹部３２へ差し込むと、前方の係止部５が刃部２３の先端に係止すると共に、後方の係止部５のナット６がツマミネジ３３の下方に位置する。よって、そのままツマミネジ３３を回転操作してナット６にねじ込むと、当該側の係止部５がプロテクタ３１へネジ止めされ、チップレシーバ１の装着が完了する（図４，７）。この状態では、図４及び８に示すように、捕捉部３の上板部１１が刃部２３の上側半分を、下板部１３が刃部２３の下側半分を夫々覆い、刃部２３の反対側の半分のみが露出する格好となる。なお、チップレシーバ１は、長手方向の前後に対称形状であるため、利き腕や作業内容によっては、刃部２３の反対側に同様の手順で装着することもできる。
【００１６】
よって、このようにチップレシーバ１を装着した生垣バリカン２０を使用する場合は、例えば生垣の後方に糸を水平に張り、一方の手で主ハンドル２８を、他方の手で補助ハンドル３０を夫々保持して、可動刃２５，２６を動作させて刃部２３の露出側へ生垣バリカン２０を水平移動させれば、可動刃２５，２６によって生垣上面の枝葉が切断される。切断された枝葉は、チップレシーバ１の捕捉部３上で受けられるため、枝葉を飛散させることなくそのまま所定箇所へ運んで廃棄等することができる。
そして、チップレシーバ１を取り外す場合、ツマミネジ３３を緩めて後方側の係止部５とプロテクタ３１との連結を解除し、そのままチップレシーバ１を前方へスライドさせれば、前方側の係止部５が刃部２３から離脱する。よって、チップレシーバ１を刃部２３から簡単に取り外すことができる。
【００１７】
このように上記形態のチップレシーバ１及び生垣バリカン２０によれば、工具を用いなくてもチップレシーバ１を簡単に着脱でき、作業性に優れる。しかも、ツマミネジ３３によってチップレシーバ１が確実に装着されるため、作業中にチップレシーバ１が外れるおそれがなく、装着時の信頼性も高くなる。また、ツマミネジ３３はチップレシーバ１の後方のみで用いられるため、刃部２３側での突出部分とならず、作業の邪魔になることもない。
特に、チップレシーバ１においては、固定部２の前後両端に係止部５とナット６とを夫々設けて前後方向に対称形状としているため、両刃タイプの生垣バリカン２０に使用する場合、利き腕や作業内容に合わせてチップレシーバ１の装着側を選択でき、使い勝手に優れる。
さらに、生垣バリカン２０では、プロテクタ３１にツマミネジ３３を設けているため、プロテクタ３１の交換のみで既存の生垣バリカンにもチップレシーバ１を容易に取付可能となる。
【００１８】
なお、チップレシーバは、必ずしも前後方向で対称形状にする必要はなく、生垣バリカンが片刃タイプであれば、固定部の一端に係止部のみを、他端にナットのみを夫々設けて刃部への装着側を固定しても良い。また、チップレシーバのネジ孔としてはナットを用いるものに限らず、チップレシーバに直接ネジ孔を形成することも可能である。
【００１９】
一方、生垣バリカンでは、刃部やハウジング等の形状は上記形態に限らず、例えば刃部は１つの可動刃が固定刃に対して前後運動するタイプであっても本発明は適用可能である。また、ツマミネジはプロテクタに設けるものに限らず、本体ハウジングにツマミネジを設けても良い。
【図面の簡単な説明】
【００２０】
【図１】チップレシーバの説明図である。
【図２】Ａ−Ａ線断面図である。
【図３】Ｂ−Ｂ線断面図である。
【図４】チップレシーバを装着した生垣バリカンの平面図である。
【図５】チップレシーバの装着手順を示す説明図である。
【図６】チップレシーバの装着手順を示す説明図である。
【図７】チップレシーバの装着手順を示す説明図である。
【図８】チップレシーバを装着した生垣バリカンの底面図である。
【符号の説明】
【００２１】
１‥チップレシーバ、２‥固定部、３‥捕捉部、４‥帯板、５‥係止部、６‥ナット、１１‥上板部、１２‥広板部、１３‥下板部、２０‥生垣バリカン、２２‥本体ハウジング、２３‥刃部、２４‥固定板、２５，２６‥可動刃、３１‥プロテクタ、３２‥差し込み凹部、３３‥ツマミネジ。
【図１】
2006014661.tif 000003
【図２】
2006014661.tif 000004
【図３】
2006014661.tif 000005
【図４】
2006014661.tif 000006
【図５】
2006014661.tif 000007
【図６】
2006014661.tif 000008
【図７】
2006014661.tif 000009
【図８】
2006014661.tif 000010